(57)【特許請求の範囲】
【請求項１】
洋式腰掛便器の上に設けられる本体と、
人体洗浄吐水口を有し、前記本体から進出可能に設けられて前記人体洗浄吐水口から水を噴射して前記洋式腰掛便器に着座した使用者の人体を洗浄する人体洗浄ノズルと、
前記人体洗浄ノズルを洗浄するノズル洗浄手段と、
を備え、
前記ノズル洗浄手段は、前記人体洗浄ノズルが前記本体に収納されているときには前記人体洗浄ノズルの先端面の頂上よりも下側に配置され、前記人体洗浄ノズルを洗浄するときには前記本体の外部に移動し前記本体の外部に進出した前記人体洗浄ノズルを洗浄することを特徴とする衛生洗浄装置。
【請求項２】
前記ノズル洗浄手段は、前記人体洗浄ノズルが前記本体に収納されているときに前記本体の内部を洗浄することを特徴とする請求項１記載の衛生洗浄装置。
【請求項３】
前記ノズル洗浄手段は、前記人体洗浄ノズルの進退動作と連動して移動することを特徴とする請求項１または２に記載の衛生洗浄装置。
【請求項４】
前記ノズル洗浄手段は、前記人体洗浄ノズルの前記本体の外部への進出よりも先に前記本体の外部へ移動し、前記人体洗浄ノズルの先端部を洗浄することを特徴とする請求項１〜３のいずれか１つに記載の衛生洗浄装置。
【請求項５】
前記ノズル洗浄手段は、前記人体洗浄ノズルから押し出されることで前記本体の外部に移動することを特徴とする請求項１〜４のいずれか１つに記載の衛生洗浄装置。
【請求項６】
前記ノズル洗浄手段は、前記人体洗浄ノズルから押し出された後に前記ノズル洗浄手段自身の位置を決める位置決め部材を有することを特徴とする請求項５記載の衛生洗浄装置。
【請求項７】
前記本体に形成された開口部を開閉可能なシャッター部をさらに備え、
前記ノズル洗浄手段は、前記シャッター部と一体化されたことを特徴とする１〜６のいずれか１つに記載の衛生洗浄装置。
【発明の詳細な説明】
【技術分野】
【０００１】
本発明の態様は、一般的に、衛生洗浄装置に関し、具体的には洋式腰掛便器に腰掛けた使用者の「おしり」などの身体を水で洗浄する衛生洗浄装置に関する。
【背景技術】
【０００２】
洗浄ノズルを衛生的に保つために、例えば、使用時の洗浄ノズルの進退に伴って洗浄ノズルの外観面を洗浄する洗浄手段を備えた衛生洗浄装置がある。これにより、例えば洗浄ノズルの外観面にこびり付いた汚れなどをきれいに洗い流すことができる。一般的に、洗浄手段は、洗浄ノズルの上に配置されている。
【０００３】
一方、近年のトイレ空間のデザイン向上に伴い、衛生洗浄装置の高さ方向を抑えたコンパクト化が望まれている。これに対しては、衛生洗浄装置の高さに影響を与える要因の１つである例えば収納時の洗浄ノズルの高さなどを抑える必要がある。例えば、洗浄ノズルとともにノズル洗浄室が進出し、ノズル洗浄室が衛生洗浄便座装置本体の外側に突出した状態とされる衛生洗浄便座装置がある（特許文献１）。
【０００４】
しかしながら、収納時の洗浄ノズルの高さを抑えることができても、洗浄手段が収納時の洗浄ノズルの上に配置される場合には、衛生洗浄装置の高さ方向を抑えることは困難である。この点においては、改善の余地がある。
【先行技術文献】
【特許文献】
【０００５】
【特許文献１】特開２００６−２９９５５０号公報
【発明の概要】
【発明が解決しようとする課題】
【０００６】
本発明は、かかる課題の認識に基づいてなされたものであり、高さをより低く抑えることができる衛生洗浄装置を提供することを目的とする。
【課題を解決するための手段】
【０００７】
第１の発明は、洋式腰掛便器の上に設けられる本体と、人体洗浄吐水口を有し、前記本体から進出可能に設けられて前記人体洗浄吐水口から水を噴射して前記洋式腰掛便器に着座した使用者の人体を洗浄する人体洗浄ノズルと、前記人体洗浄ノズルを洗浄するノズル洗浄手段と、を備え、前記ノズル洗浄手段は、前記人体洗浄ノズルが前記本体に収納されているときには前記人体洗浄ノズルの先端面の頂上よりも下側に配置され、前記人体洗浄ノズルを洗浄するときには前記本体の外部に移動し前記本体の外部に進出した前記人体洗浄ノズルを洗浄することを特徴とする衛生洗浄装置である。
【０００８】
この衛生洗浄装置によれば、ノズル洗浄手段は、本体の外部において人体洗浄ノズルを洗浄する。一方、ノズル洗浄手段は、人体洗浄ノズルを洗浄しないときには、つまり人体洗浄ノズルが本体に収納されているときには、人体洗浄ノズルの先端面の頂上よりも下側に配置される。そのため、人体洗浄ノズルが本体に収納されているときのノズル洗浄手段の高さをより低く抑えることができる。そのため、衛生洗浄装置の高さをより低く抑えることができる。
【０００９】
また、第２の発明は、第１の発明において、前記ノズル洗浄手段は、前記人体洗浄ノズルが前記本体に収納されているときに前記本体の内部を洗浄することを特徴とする衛生洗浄装置である。
【００１０】
この衛生洗浄装置によれば、ノズル洗浄手段は、本体の内部も洗浄することができる。そのため、より綺麗な衛生洗浄装置を提供することができる。
【００１１】
また、第３の発明は、第１または第２の発明において、前記ノズル洗浄手段は、前記人体洗浄ノズルの進退動作と連動して移動することを特徴とする衛生洗浄装置である。
【００１２】
この衛生洗浄装置によれば、ノズル洗浄手段は、人体洗浄ノズルの進退動作と連動して移動するため、人体洗浄ノズルを洗浄する状態へより滑らかな動作で移行することができる。
【００１３】
また、第４の発明は、第１〜第３のいずれか１つの発明において、前記ノズル洗浄手段は、前記人体洗浄ノズルの前記本体の外部への進出よりも先に前記本体の外部へ移動し、前記人体洗浄ノズルの先端部を洗浄することを特徴とする衛生洗浄装置である。
【００１４】
この衛生洗浄装置によれば、ノズル洗浄手段は、人体洗浄ノズルの本体の外部への進出よりも先に本体の外部へ移動する。つまり、ノズル洗浄手段は、人体洗浄ノズルの進出先において人体洗浄ノズルを迎えることができる。そして、ノズル洗浄手段は、人体洗浄ノズルの先端部を洗浄する。これにより、より綺麗な人体洗浄ノズルを実現することができる。
【００１５】
また、第５の発明は、第１〜第４のいずれか１つの発明において、前記ノズル洗浄手段は、前記人体洗浄ノズルから押し出されることで前記本体の外部に移動することを特徴とする衛生洗浄装置である。
【００１６】
この衛生洗浄装置によれば、例えば人体洗浄ノズルを進退させる駆動機構を設け人体洗浄ノズルを移動させることにより、ノズル洗浄手段を移動させることができる。そのため、より簡単な構成で、衛生洗浄装置１００の高さをより低く抑えることができる。
【００１７】
また、第６の発明は、第５の発明において、前記ノズル洗浄手段は、前記人体洗浄ノズルから押し出された後に前記ノズル洗浄手段自身の位置を決める位置決め部材を有することを特徴とする衛生洗浄装置である。
【００１８】
この衛生洗浄装置によれば、ノズル洗浄手段が有する位置決め部材は、ノズル洗浄手段が人体洗浄ノズルを洗浄する際のノズル洗浄手段自身の位置を決めることができる。そのため、ノズル洗浄手段の洗浄機能をより確保することができる。
【００１９】
また、第７の発明は、第１〜第６のいずれか１つの発明において、前記本体に形成された開口部を開閉可能なシャッター部をさらに備え、前記ノズル洗浄手段は、前記シャッター部と一体化されたことを特徴とする衛生洗浄装置である。
【００２０】
この衛生洗浄装置によれば、より簡単な構成で、衛生洗浄装置の高さをより低く抑えることができる。
【発明の効果】
【００２１】
本発明の態様によれば、高さをより低く抑えることができる衛生洗浄装置が提供される。
【図面の簡単な説明】
【００２２】
【図１】本発明の実施の形態にかかる衛生洗浄装置を備えたトイレ装置を表す斜視模式図である。
【図２】本実施形態にかかる衛生洗浄装置を側方からみた断面模式図である。
【図３】本実施形態にかかる衛生洗浄装置を側方からみた断面模式図である。
【図４】ノズル洗浄手段が本体の外部において洗浄ノズルを洗浄する動作を説明するための断面模式図である。
【図５】ノズル洗浄手段および洗浄ノズルが本体の外部に進出した状態を表す斜視模式図である。
【図６】本実施形態のノズルユニットを例示する平面模式図である。
【図７】本実施形態のノズルユニットを例示する斜視模式図である。
【図８】本実施形態のノズルユニットを上方から眺めたときの平面模式図である。
【図９】ノズル洗浄手段の近傍を下方から眺めたときの平面模式図である。
【図１０】本実施形態のノズルユニットを例示する平面模式図である。
【図１１】本実施形態のノズルユニットを例示する斜視模式図である。
【図１２】洗浄ノズルにおける洗浄水の着水位置を表す模式図である。
【図１３】本実施形態のノズルユニットを例示する斜視模式図である。
【図１４】本実施形態のノズルユニットを例示する斜視模式図である。
【図１５】本実施形態のノズルユニットを例示する斜視模式図である。
【図１６】本発明の他の実施の形態にかかる衛生洗浄装置を側方からみた断面模式図である。
【図１７】本発明の他の実施の形態にかかる衛生洗浄装置を側方からみた断面模式図である。
【図１８】ノズル洗浄手段が本体の外部において洗浄ノズルを洗浄する動作を説明するための断面模式図である。
【図１９】ノズル洗浄手段および洗浄ノズルが本体の外部に進出した状態を表す斜視模式図である。
【図２０】ノズル洗浄手段および洗浄ノズルが本体の外部に進出した状態を表す平面模式図である。
【図２１】ノズル洗浄手段および洗浄ノズルが本体の外部に進出した状態を表す平面模式図である。
【図２２】本発明のさらに他の実施の形態にかかる衛生洗浄装置のシャッター部付近を拡大した拡大模式図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。
【００２４】
図１に表したトイレ装置は、洋式腰掛便器（以下説明の便宜上、単に「便器」と称する）８００と、その上に設けられた衛生洗浄装置１００と、を備える。衛生洗浄装置１００は、本体４００と、便座２００と、便蓋３００と、を有する。便座２００と便蓋３００とは、本体４００に対して開閉自在にそれぞれ軸支されている。
【００２５】
本体４００の内部には、便座２００に座った使用者の「おしり」などの洗浄を実現する身体洗浄機能部などが内蔵されている。また、例えば本体４００には、使用者が便座２００に座ったことを検知する着座検知センサ４０４が設けられている。着座検知センサ４０４が便座２００に座った使用者を検知している場合において、使用者が例えばリモコンなどの図示しない操作部を操作すると、人体洗浄ノズル（以下、説明の便宜上「洗浄ノズル」と称する）４７３を便器８００のボウル８０１内に進出させることができる。なお、図１に表した衛生洗浄装置１００では、洗浄ノズル４７３がボウル８０１内に進出した状態を表している。
【００２６】
洗浄ノズル４７３の先端部には、ひとつあるいは複数の人体洗浄吐水口４７４が設けられている。そして、洗浄ノズル４７３は、その先端部に設けられた人体洗浄吐水口４７４から水を噴射して、便座２００に座った使用者の「おしり」などを洗浄することができる。なお、本願明細書において「水」という場合には、冷水のみならず、加温されたお湯も含むものとする。
【００２７】
なお、本願明細書においては、洗浄ノズル４７３の中心軸線または進出方向に対して平行な方向であって、便座２００に座った使用者からみて前方を「前方」とし、便座２００に座った使用者からみて後方を「後方」とする。また、洗浄ノズル４７３の中心軸線または進出方向に対して垂直な水平方向であって、便器１００の前に立った使用者からみて右側を「右側方」とし、左側を「左側方」とする。
【００２８】
図２および図３は、本実施形態にかかる衛生洗浄装置を側方からみた断面模式図である。  
なお、図２および図３は、図１に表した切断面Ａ−Ａにおける断面模式図である。図２は、本実施形態の洗浄ノズルが本体の内部に収納された状態を表す。図３は、本実施形態の洗浄ノズルが本体の外部に進出した状態を表す。図２および図３では、便座２００および便蓋３００を省略している。
【００２９】
本実施形態の本体４００は、ケースプレート４０１と、ケースカバー４０２と、を有する。身体洗浄機能部などは、ケースプレート４０１に適宜載置され、その上方をケースカバー４０２により覆われている。
【００３０】
本実施形態の洗浄ノズル４７３は、ノズルヘッド４７１と、シリンダ４７２と、を有する。すなわち、図２および図３に表した洗浄ノズル４７３は、２段式である。なお、本実施形態では、２段式すなわち２本の可動部を有する洗浄ノズルを例に挙げて説明するが、本発明はこれに限定されず、可動部が３本以上の多段式の洗浄ノズル、および可動部がノズルヘッドのみの単段式の洗浄ノズルも包含する。
【００３１】
ノズルヘッド４７１は、シリンダ４７２に対して摺動自在に設けられ、少なくともその一部がシリンダ４７２の中に格納可能とされている。ノズルヘッド４７１は、ノズルモータ４７６から伝達される駆動力により、基台４７５（例えば図６参照）に対して摺動自在に設けられている。
【００３２】
本実施形態にかかる衛生洗浄装置１００は、洗浄ノズル４７３を洗浄するノズル洗浄手段４２０を備える。ノズル洗浄手段４２０は、洗浄水を吐水する吐水孔４２５（例えば図４（ｂ）参照）を有する。ノズル洗浄手段４２０は、洗浄ノズル４７３が進退しているときに、洗浄ノズル４７３の外観面に対して吐水孔４２５から洗浄水を吐水し、洗浄ノズル４７３の外観面を洗浄することができる。
【００３３】
言い換えれば、洗浄ノズル４７３が本体４００の内部に収納されているときには、ノズル洗浄手段４２０は、洗浄ノズル４７３を洗浄することはできない。図２に表したように、洗浄ノズル４７３が本体４００の内部に収納されているときには、ノズル洗浄手段４２０は、洗浄ノズル４７３の先端面の頂上４７３ａよりも下側に配置されている。
【００３４】
ここで、本願明細書において「洗浄ノズルの先端面の頂上」とは、衛生洗浄装置１００を右側方あるいは左側方からみた場合（図２および図３に表した場合）において、洗浄ノズル４７３の中心軸Ｃ１に対して垂直方向にみたときの最も高いところをいうものとする。図３に表したように、洗浄ノズル４７３がノズルヘッド４７１とシリンダ４７２とを有する場合には、洗浄ノズル４７３の先端面の頂上４７３ａは、シリンダ４７２の先端面の頂上に相当する。
【００３５】
これによれば、洗浄ノズル４７３が本体４００の内部に収納されているときのノズル洗浄手段４２０の高さをより低く抑えることができる。そのため、衛生洗浄装置１００の高さをより低く抑えることができる。
【００３６】
また、図２に表した矢印Ａ１〜Ａ３のように、洗浄ノズル４７３が本体４００の内部に収納されているときには、ノズル洗浄手段４２０は、吐水孔４２５から洗浄水を吐水し、本体４００の内部を洗浄することができる。これにより、より綺麗な衛生洗浄装置１００を提供することができる。
【００３７】
続いて、洗浄ノズル４７３は、ノズルモータ４７６から伝達される駆動力を受けると、本体４００の外部へ向かって進出する。このとき、図２に表した矢印Ａ４のように、ノズル洗浄手段４２０は、洗浄ノズル４７３の進出動作と連動して移動する。具体的には、洗浄ノズル４７３は、本体４００の外部へ向かって進出するときに、先端面４７３ｂによりノズル洗浄手段４２０を本体４００の外部へ向かって押す。そうすると、ノズル洗浄手段４２０は、例えば基台４７５などに回動自在に軸支されており、洗浄ノズル４７３の先端面４７３ｂから押されることにより本体４００の外部へ押し出される。
【００３８】
これによれば、ノズル洗浄手段４２０は、洗浄ノズル４７３を洗浄する状態へより滑らかな動作で移行することができる。また、ノズルモータ４７６を設け、洗浄ノズル４７３を移動させることにより、ノズル洗浄手段４２０を本体４００の外部に押し出すことができる。そのため、より簡単な構成で、衛生洗浄装置１００の高さをより低く抑えることができる。  
なお、図３に表したように、洗浄ノズル４７３がノズルヘッド４７１とシリンダ４７２とを有する場合には、洗浄ノズル４７３の先端面４７３ｂは、ノズルヘッド４７１の先端面に相当する。
【００３９】
そして、図３に表したように、ノズル洗浄手段４２０は、本体４００の外部に進出した状態で吐水孔４２５から洗浄水を吐水し、本体４００の外部へ進出する洗浄ノズル４７３あるいは本体４００の外部に進出した洗浄ノズル４７３を洗浄することができる。洗浄ノズル４７３が本体４００の外部に進出したときには、ノズル洗浄手段４２０は、洗浄ノズル４７３の先端面の頂上４７３ａよりも上側に配置される。そのため、ノズル洗浄手段４２０は、洗浄ノズル４７３の先端面の頂上４７３ａよりも上側から洗浄ノズル４７３へ向けて洗浄水４２６を吐水することができる。
【００４０】
このとき、ノズル洗浄手段４２０が本体４００の外部に進出した状態で洗浄ノズル４７３を洗浄すると、洗浄ノズル４７３の外観面などに当たった洗浄水が使用者の方向へ飛び散ったり、便器８００の外側まで飛び散る場合がある。  
これに対して、本実施形態にかかる衛生洗浄装置１００は、飛び散り抑制手段を備える。飛び散り抑制手段は、ノズル洗浄手段４２０が本体４００の外部において洗浄ノズル４７３を洗浄するときの洗浄水の飛び散りや洗浄ノズル４７３の汚れの飛び散りなどを抑えることができる。以下、これについて、図面を参照しつつさらに説明する。
【００４１】
図４は、ノズル洗浄手段が本体の外部において洗浄ノズルを洗浄する動作を説明するための断面模式図である。  
また、図５は、ノズル洗浄手段および洗浄ノズルが本体の外部に進出した状態を表す斜視模式図である。  
図４（ｂ）は、図４（ａ）に表した範囲Ｂ１を拡大した拡大模式図である。
【００４２】
図４（ｂ）に表したように、ノズル洗浄手段４２０は、リブ（位置決め部材）４２１を有する。洗浄ノズル４７３が本体４００の外部に進出した状態において、すなわちノズル洗浄手段４２０が本体４００の外部に押し出された状態において、リブ４２１は、ノズル洗浄手段４２０の下側の面（吐水孔４２５が設けられた側の面）から洗浄ノズル４７３へ向かって突出している。図４（ｂ）に表したように、リブ４２１は、ノズル洗浄手段４２０が本体４００の外部に押し出された後に、洗浄ノズル４７３の外観面と接触する。そして、図４（ａ）および図５に表したように、リブ４２１が洗浄ノズル４７３の外観面と接触した状態において、ノズル洗浄手段４２０は、吐水孔４２５から洗浄水４２６を吐水し、本体４００の外部へ進出する洗浄ノズル４７３あるいは本体４００の外部に進出した洗浄ノズル４７３を洗浄することができる。
【００４３】
そのため、リブ４２１は、ノズル洗浄手段４２０が洗浄ノズル４７３を洗浄する際のノズル洗浄手段４２０自身の洗浄ノズル４７３に対する位置を決めることができる。これにより、ノズル洗浄手段４２０の洗浄機能をより確保することができる。
【００４４】
また、図２および図３に関して前述したように、ノズル洗浄手段４２０は、洗浄ノズル４７３の先端面４７３ｂから押されることにより本体４００の外部へ押し出される。図２に表したように、洗浄ノズル４７３が本体４００の内部に収納されているときには、ノズル洗浄手段４２０は、洗浄ノズル４７３の先端面の頂上４７３ａよりも下側であって、洗浄ノズル４７３の先端面４７３ｂの前方に配置されている。そのため、ノズル洗浄手段４２０は、洗浄ノズル４７３の先端面４７３ｂから押されることで、洗浄ノズル４７３よりも先に本体４００の外部へ移動することができる。これにより、ノズル洗浄手段４２０は、洗浄ノズル４７３を迎える形となるので、洗浄ノズル４７３の先端部（例えば、人体洗浄吐水口４７４が設けられた部分）も洗浄することができる。そのため、より綺麗な洗浄ノズル４７３を実現することができる。
【００４５】
図４（ｂ）に表したように、ノズル洗浄手段４２０は、吐水孔４２５から鉛直下方へ洗浄水４２６を吐水する。一方、図４（ａ）に表したように、洗浄ノズル４７３は、水平面に対して斜め方向へ進退する。そのため、図４（ｂ）に表したように、ノズル洗浄手段４２０の吐水孔４２５から吐水された洗浄水４２６と、洗浄ノズル４７３の外観面と、のなす角度θ１は、鋭角すなわち９０度よりも小さい角度となる。つまり、ノズル洗浄手段４２０の吐水孔４２５から吐水された洗浄水４２６は、洗浄ノズル４７３の中心軸Ｃ１に対して鋭角に当たる。
【００４６】
これによれば、ノズル洗浄手段４２０の吐水孔４２５から吐水された洗浄水４２６が洗浄ノズル４７３に当たった際の飛び散りは、洗浄水４２６が洗浄ノズル４７３の中心軸Ｃ１に対して垂直に当たった際の飛び散りよりも低減される。そのため、ノズル洗浄手段４２０が本体４００の外部において洗浄ノズル４７３を洗浄するときの洗浄水４２６の飛び散りや洗浄ノズル４７３の汚れの飛び散りなどを抑えることができる。また、洗浄ノズル４７３の外観面に当たった洗浄水４２６が使用者の方向へ飛び散ったり、便器８００の外側まで飛び散ったりすることを抑えることができる。また、ノズル洗浄手段４２０は、本体４００の外部において洗浄ノズル４７３を洗浄するため、洗浄水４２６が本体４００の内部へ入り込んだり、洗浄ノズル４７３の汚れが本体４００の内部へ入り込んだりすることを抑えることができる。
【００４７】
つまり、本実施形態の飛び散り抑制手段の一つは、ノズル洗浄手段４２０の吐水孔４２５から吐水された洗浄水４２６と、洗浄ノズル４７３の外観面と、のなす角度θ１が鋭角とされてなる。あるいは、本実施形態の飛び散り抑制手段は、ノズル洗浄手段４２０の吐水孔４２５から吐水された洗浄水４２６が洗浄ノズル４７３の中心軸Ｃ１に対して鋭角に当たることで構成されてなる。これについて、図面を参照しつつさらに説明する。
【００４８】
図６は、本実施形態のノズルユニットを例示する平面模式図である。  
また、図７は、本実施形態のノズルユニットを例示する斜視模式図である。
【００４９】
本実施形態のノズルユニット４７０は、基台４７５と、基台４７５に支持された洗浄ノズル４７３と、洗浄ノズル４７３を移動させるノズルモータ４７６と、筒体４６１と、を有する。筒体４６１は、基台４７５あるいはケースプレート４０１あるいはケースカバー４０２に対して回動軸４６３により回動自在に軸支されている。筒体４６１は、筒状に形成され、シリンダ４７２の角度に応じて回動軸４６３を中心として回動できる。そして、筒体４６１および回動軸４６３は、洗浄ノズル４７３の移動を案内し規制することができる。
【００５０】
ノズル洗浄手段４２０は、筒体４６１に対して回動自在に軸支されている。そのため、図２に関して前述したように、ノズル洗浄手段４２０は、矢印Ａ４（図２参照）のように洗浄ノズル４７３の進出動作と連動して移動（回動）する。つまり、ノズル洗浄手段４２０は、洗浄ノズル４７３の先端面４７３ｂから押されることにより回動し、本体４００の外部へ押し出される。
【００５１】
そして、図６に表した矢印Ａ５〜矢印Ａ７のように、ノズル洗浄手段４２０は、本体４００の外部に進出した状態で吐水孔４２５から鉛直下方へ洗浄水４２６を吐水する。これにより、図４および図５に関して前述したように、ノズル洗浄手段４２０の吐水孔４２５から吐水された洗浄水４２６は、洗浄ノズル４７３の中心軸Ｃ１に対して鋭角に当たる。
【００５２】
このとき、洗浄ノズル４７３の外観面に沿う方向の洗浄水４２６のエネルギーは、図６に表した矢印Ａ１１のように洗浄水４２６が洗浄ノズル４７３の中心軸Ｃ１に対して垂直に吐水された場合と比較して大きい。そのため、洗浄水４２６が洗浄ノズル４７３に当たるときの力（あるいは撃力）は、洗浄ノズル４７３の中心軸Ｃ１に対して垂直に吐水された洗浄水が洗浄ノズル４７３に当たるときの力（あるいは撃力）よりも小さい。そのため、図７に表した矢印Ａ１５〜矢印Ａ１７のように、洗浄水４２６は、表面張力に対抗しつつ洗浄ノズル４７３の外観面を沿うように流れる。これにより、洗浄水４２６が洗浄ノズル４７３に当たった際の飛び散りは、洗浄ノズル４７３の中心軸Ｃ１に対して垂直に吐水された洗浄水が洗浄ノズル４７３に当たった際の飛び散りよりも低減される。
【００５３】
洗浄ノズル４７３の中心軸Ｃ１に対して垂直に当たった洗浄水は、洗浄ノズル４７３の中心軸Ｃ１に対して鋭角に当たった洗浄水４２６と比較して、洗浄ノズル４７３の外観面を沿うようには流れにくい。そのため、図６に表した矢印Ａ１２のように、洗浄ノズル４７３の中心軸Ｃ１に対して垂直に当たった洗浄水は、洗浄ノズル４７３の中心軸Ｃ１に対して鋭角に当たった洗浄水４２６と比較して、洗浄ノズル４７３の下側の外観面までは流れにくく下方へ落下する。
【００５４】
これに対して、洗浄ノズル４７３の中心軸Ｃ１に対して鋭角に当たった洗浄水４２６は、洗浄ノズル４７３の中心軸Ｃ１に対して垂直に当たった洗浄水と比較して、洗浄ノズル４７３の外観面を沿うように流れやすい。そのため、図６に表した矢印Ａ５〜矢印Ａ７に表したように、洗浄ノズル４７３の中心軸Ｃ１に対して鋭角に当たった洗浄水４２６は、洗浄ノズル４７３の中心軸Ｃ１に対して垂直に当たった洗浄水と比較して、洗浄ノズル４７３の外観面を伝いやすく洗浄ノズル４７３の下側の外観面まで流れやすい。これにより、洗浄ノズル４７３の下側の外観面の汚れをより落とすことができる。
【００５５】
図８は、本実施形態のノズルユニットを上方から眺めたときの平面模式図である。  
また、図９は、ノズル洗浄手段の近傍を下方から眺めたときの平面模式図である。
【００５６】
図８および図９に表したように、ノズル洗浄手段４２０は、複数の吐水孔４２５を有する。本実施形態の以下の説明では、ノズル洗浄手段４２０が６つの吐水孔４２５を有する場合を例に挙げる。但し、ノズル洗浄手段４２０が有する吐水孔の個数は、これだけに限定されるわけではない。
【００５７】
図８および図９に表したように、複数の吐水孔４２５は、左右方向に互いに離隔して配置されている。洗浄ノズル４７３の中心軸Ｃ１からみて左右両側に、それぞれ３つずつの吐水孔４２５が設けられている。また、洗浄ノズル４７３の中心軸Ｃ１からみて右側方に設けられた３つの吐水孔４２５は、ノズル洗浄手段４２０が本体４００の外部に押し出された状態において前後方向あるいは洗浄ノズル４７３の進退方向に互いに離隔して配置されている。これと同様に、洗浄ノズル４７３の中心軸Ｃ１からみて左側方に設けられた３つの吐水孔４２５は、ノズル洗浄手段４２０が本体４００の外部に押し出された状態において前後方向あるいは洗浄ノズル４７３の進退方向に互いに離隔して配置されている。
【００５８】
言い換えれば、複数の吐水孔４２５は、洗浄ノズル４７３の中心軸Ｃ１に最も近い位置に設けられた吐水孔４２５の位置を基準として、洗浄ノズル４７３の中心軸Ｃ１からみて左右両側の斜め後方に離隔して配列されている。但し、複数の吐水孔４２５の配置形態は、これだけに限定されない。例えば、複数の吐水孔４２５は、洗浄ノズル４７３の中心軸Ｃ１に最も遠い位置に設けられた吐水孔４２５の位置を基準として、洗浄ノズル４７３の中心軸Ｃ１へ向かって左右両側から斜め後方に離隔して配列されていてもよい。
【００５９】
図８に表したように、ノズル洗浄手段４２０には給水チューブ４２８が接続されている。給水チューブ４２８の内部を導かれた洗浄水は、図８に表した矢印Ａ１９のように、ノズル洗浄手段４２０の内部を導かれ吐水孔４２５から吐水される。
【００６０】
図８および図９に表したように、ノズルユニット４７０を上方あるいは下方からみたときに、吐水孔４２５は、洗浄ノズル４７３の中心軸Ｃ１上には設けられていない。これにより、吐水孔４２５から吐水された洗浄水４２６が、洗浄ノズル４７３の人体洗浄吐水口４７４に直接的に着水することを抑えることができる。これにより、吐水孔４２５から吐水された洗浄水４２６が人体洗浄吐水口４７４の例えば縁などに当たり飛び散ることを抑えることができる。
【００６１】
図１０は、本実施形態のノズルユニットを例示する平面模式図である。  
また、図１１は、本実施形態のノズルユニットを例示する斜視模式図である。  
また、図１２は、洗浄ノズルにおける洗浄水の着水位置を表す模式図である。  
なお、図１１（ｂ）は、図１１（ａ）に表した範囲Ｂ２を拡大した拡大模式図である。図１２（ａ）は、ノズルヘッドを右側方からみたときの平面模式図である。図１２（ｂ）は、図１２（ａ）に表した矢印Ａ２１の方向にみたときの平面模式図である。図１２（ｃ）は、シリンダを右側方からみたときの平面模式図である。図１２（ｄ）は、図１２（ｃ）に表した矢印Ａ２２の方向にみたときの模式図である。
【００６２】
図８および図９に関して前述したように、洗浄ノズル４７３の中心軸Ｃ１からみて右側方あるいは左側方に設けられた３つの吐水孔４２５は、ノズル洗浄手段４２０が本体４００の外部に押し出された状態において前後方向に互いに離隔して配置されている。そのため、図１０に表したように、複数の洗浄水４２６は、複数の吐水孔４２５からそれぞれ前後方向に互いに離隔して吐水され、所定の距離をもって洗浄ノズル４７３に着水する。
【００６３】
また、図８および図９に関して前述したように、複数の吐水孔４２５は、左右方向に互いに離隔して配置されている。そのため、図１１（ａ）および図１１（ｂ）に表したように、複数の洗浄水４２６は、複数の吐水孔４２５からそれぞれ左右方向に互いに離隔して吐水され、所定の距離をもって洗浄ノズル４７３に着水する。なお、図１１（ｂ）に表したように、ノズル洗浄手段４２０が本体４００の外部に押し出された状態では、リブ４２１が洗浄ノズル４７３（図１１（ｂ）ではシリンダ４７２）の外観面と接触している。
【００６４】
洗浄水４２６がノズルヘッド４７１およびシリンダ４７２に着水したときの状態は、図１２（ａ）〜図１２（ｄ）に表した如くである。すなわち、図１２（ｂ）に表した矢印のように、洗浄水４２６は、ノズルヘッド４７１の外観面に着水すると周囲に拡散しようとする。また、図１２（ｄ）に表したように、洗浄水４２６は、シリンダ４７２の外観面に着水すると周囲に拡散しようとする。そうすると、複数の洗浄水４２６は、洗浄ノズル４７３の外観面に着水した後に互いに衝突する。このときに、洗浄水４２６の飛び散りが生ずる場合がある。
【００６５】
そのため、複数の吐水孔４２５同士の距離をより長く設定することがより好ましい。一方で、複数の吐水孔４２５同士の距離を左右方向のみにおいてより長く確保しようとすると、ノズル洗浄手段４２０の左右方向の幅がより大きくなる。そうすると、ノズルユニット４７０や衛生洗浄装置１００が大型化する場合がある。
【００６６】
これに対して、本実施形態では、複数の吐水孔４２５は、左右方向および前後方向に互いに離隔して配置されている。つまり、複数の吐水孔４２５は、洗浄ノズル４７３の中心軸Ｃ１に最も近い位置に設けられた吐水孔４２５の位置を基準として、洗浄ノズル４７３の中心軸Ｃ１からみて左右両側の斜め後方に離隔して配列されている。そのため、ノズル洗浄手段４２０の左右方向の幅をより小さく抑えつつ、複数の吐水孔４２５同士の距離をより長く確保することができる。
【００６７】
これによれば、複数の洗浄水４２６が洗浄ノズル４７３の外観面に着水した後に互いに衝突する力を抑えることができる。そのため、洗浄水４２６の飛び散りを抑えることができる。また、複数の吐水孔４２５は、洗浄ノズル４７３の中心軸Ｃ１からみて左右両側へ斜め方向に配列されている。そのため、複数の吐水孔４２５が左右方向のみに互いに離隔して配置された場合と比較すると、複数の洗浄水４２６が洗浄ノズル４７３の外観面に着水した後に互いに衝突することを抑えることができる。これにより、洗浄水４２６の飛び散りを抑えることができる。
【００６８】
つまり、複数の吐水孔４２５が洗浄ノズル４７３の中心軸Ｃ１からみて左右両側へ斜め後方に隔離して配列されている構成も、飛び散り抑制手段の一つとして機能している。
【００６９】
図１３〜図１５は、本実施形態のノズルユニットを例示する斜視模式図である。  
図１３〜図１５に表したように、ノズル洗浄手段４２０には給水チューブ４２８が接続されている。給水チューブ４２８は、給水チューブ４２８自身の軸を略中心として所定方向に予め捩られた状態でノズル洗浄手段４２０に接続されている。そのため、図１３〜図１５に表した矢印Ａ２５〜矢印Ａ２７のように、給水チューブ４２８は、ノズル洗浄手段４２０を閉じる方向すなわちノズル洗浄手段４２０を本体４００の内部へ収納する方向へ付勢している。
【００７０】
洗浄ノズル４７３がノズルモータ４７６から伝達される駆動力により後退し本体４００の内部に収納されると、ノズル洗浄手段４２０が有するリブ４２１と、洗浄ノズル４７３の外観面と、の接触が解除される。また、ノズル洗浄手段４２０が洗浄ノズル４７３の先端面４７３ｂから押される力が解除される。
【００７１】
このとき、ノズル洗浄手段４２０は、本体４００の内部へ収納される方向へ付勢されていない場合には、例えば軸支部の不具合などにより回動できず本体４００の内部へ収納されない場合がある。  
これに対して、本実施形態では、ノズル洗浄手段４２０は、図１３〜図１５に表した矢印Ａ２５〜矢印Ａ２７の方向へ、すなわち本体４００の内部へ収納される方向へ給水チューブ４２８により付勢されている。そのため、洗浄ノズル４７３が後退し本体４００の内部に収納されると、ノズル洗浄手段４２０は、本体４００の内部へより確実に収納される。
【００７２】
また、図４および図１１（ｂ）に表したように、ノズル洗浄手段４２０が本体４００の外部に押し出された状態では、リブ４２１は、吐水孔４２５よりも後方に存在する。そのため、洗浄ノズル４７３が本体４００の内部へ向かって後退する際、リブ４２１は、ノズル洗浄手段４２０により洗浄された後の洗浄ノズル４７３の外観面の上を相対的に摺動する。そのため、使用者により使用されて汚れが付着した洗浄ノズル４７３の外観面とリブ４２１が接触することを抑えることができる。これにより、汚れがリブ４２１に付着したり、汚れが本体４００の内部へ入り込んだりすることを抑えることができる。
【００７３】
次に、本発明の他の実施の形態について説明する。  
図１６および図１７は、本発明の他の実施の形態にかかる衛生洗浄装置を側方からみた断面模式図である。  
なお、図１６および図１７は、図１に表した切断面Ａ−Ａにおける断面模式図である。図１６は、本実施形態の洗浄ノズルが本体の内部に収納された状態を表す。図１７は、本実施形態の洗浄ノズルが本体の外部に進出した状態を表す。図１６および図１７では、便座２００および便蓋３００を省略している。
【００７４】
本実施形態にかかる衛生洗浄装置１００は、図２および図３に関して前述した衛生洗浄装置と比較して、シャッター部（飛び散り抑制手段）４３０をさらに備える。その他の構造は、図２〜図１５に関して前述した実施形態にかかる衛生洗浄装置の構造と同様である。
【００７５】
シャッター部４３０は、ケースカバー４０２の前側に設けられ、ケースカバー４０２の開口部を開閉する。シャッター部４３０およびノズル洗浄手段４２０は、洗浄ノズル４７３の進出動作と連動して移動する。具体的には、シャッター部４３０は、ケースカバー４０２に対して回動自在に軸支されている。また、ノズル洗浄手段４２０は、例えば基台４７５などに回動自在に軸支されている。そして、洗浄ノズル４７３は、本体４００の外部へ向かって進出するときに、先端面４７３ｂによりノズル洗浄手段４２０を本体４００の外部へ向かって押す。そうすると、ノズル洗浄手段４２０は、洗浄ノズル４７３の先端面４７３ｂから押されることにより本体４００の外部へ押し出される。そうすると、シャッター部４３０は、ノズル洗浄手段４２０から押されることにより上部を中心として回動しケースカバー４０２の開口部を開ける。
【００７６】
一方、洗浄ノズル４７３がノズルモータ４７６から伝達される駆動力により後退し本体４００の内部に収納されると、シャッター部４３０がノズル洗浄手段４２０から押される力は、解除される。そのため、シャッター部４３０は、洗浄ノズル４７３が本体４００の内部へ後退する際あるいは後退した後に、上部を中心として回動しケースカバー４０２の開口部を閉じることができる。これによれば、洗浄ノズル４７３を使用していないときの本体４００の外観をすっきりさせることができる。そのため、衛生洗浄装置１００の意匠性が損なわれることを抑えることができる。  
なお、シャッター部４３０の設置形態は、これだけに限定されず、例えばケースプレート４０１に回動自在に軸支されていてもよい。
【００７７】
そして、図１７に表したように、ノズル洗浄手段４２０は、本体４００の外部に進出した状態で吐水孔４２５から洗浄水を吐水し、本体４００の外部へ進出する洗浄ノズル４７３あるいは本体４００の外部に進出した洗浄ノズル４７３を洗浄することができる。このとき、シャッター部４３０は、ノズル洗浄手段４２０が有する吐水孔４２５よりも洗浄ノズル４７３の進出方向の前方に位置している。これについて、図面を参照しつつさらに説明する。
【００７８】
図１８は、ノズル洗浄手段が本体の外部において洗浄ノズルを洗浄する動作を説明するための断面模式図である。  
また、図１９は、ノズル洗浄手段および洗浄ノズルが本体の外部に進出した状態を表す斜視模式図である。  
また、図２０および図２１は、ノズル洗浄手段および洗浄ノズルが本体の外部に進出した状態を表す平面模式図である。  
なお、図１８（ｂ）は、図１８（ａ）に表した範囲Ｂ３を拡大した拡大模式図である。図２１（ｂ）は、図２１（ａ）に表した範囲Ｂ４を拡大した拡大模式図である。
【００７９】
図１６および図１７に関して前述したように、シャッター部４３０およびノズル洗浄手段４２０は、洗浄ノズル４７３の進出動作と連動して移動する。そして、図１９〜図２１に表したように、ノズル洗浄手段４２０は、本体４００の外部に進出した状態で吐水孔４２５から洗浄水を吐水し洗浄ノズル４７３を洗浄する。このとき、図１８（ｂ）に表したように、シャッター部４３０は、本体４００の外部に進出した状態のノズル洗浄手段４２０の吐水孔４２５よりも進出方向の前方に存在する。また、シャッター部４３０は、本体４００の外部に進出した状態のノズル洗浄手段４２０の上方および前方に存在する。
【００８０】
これにより、シャッター部４３０は、ノズル洗浄手段４２０が本体４００の外部において洗浄ノズル４７３を洗浄するときの洗浄水４２６の飛び散りや洗浄ノズル４７３の汚れの飛び散りなどを抑えることができる。また、シャッター部４３０は、洗浄ノズル４７３の外観面に当たった洗浄水４２６が使用者の方向へ飛び散ったり、便器８００の外側まで飛び散ったりすることを抑えることができる。
【００８１】
図１９に表したように、シャッター部４３０は、本体４００の外部に進出した状態のノズル洗浄手段４２０の上方および前方に存在するが、シャッター部４３０の形状および設置形態はこれだけに限定されるわけではない。例えば、シャッター部４３０は、本体４００の外部に進出した状態のノズル洗浄手段４２０の右側方および左側方の少なくともいずれかの側方にも存在していてもよい。これによれば、使用者の方向だけでなく、使用者の側方への洗浄水４２６の飛び散りを抑えることができる。
【００８２】
また、図４〜図７に関して前述したように、ノズル洗浄手段４２０の吐水孔４２５から吐水された洗浄水４２６は、洗浄ノズル４７３の中心軸Ｃ１に対して鋭角に当たる。そのため、ノズル洗浄手段４２０が本体４００の外部において洗浄ノズル４７３を洗浄するときの洗浄水４２６の飛び散りや洗浄ノズル４７３の汚れの飛び散りなどをより抑えることができる。
【００８３】
また、図８〜図１２に関して前述したように、複数の吐水孔４２５は、洗浄ノズル４７３の中心軸Ｃ１に最も近い位置に設けられた吐水孔４２５の位置を基準として、洗浄ノズル４７３の中心軸Ｃ１からみて左右両側の斜め後方に離隔して配列されている。そのため、洗浄水４２６の飛び散りをさらに抑えることができる。
【００８４】
図２２は、本発明のさらに他の実施の形態にかかる衛生洗浄装置のシャッター部付近を拡大した拡大模式図である。  
図２２は、図１８（ａ）に表した範囲Ｂ３を拡大した拡大模式図に相当する。
【００８５】
本実施形態では、ノズル洗浄手段４２０は、シャッター部４３０に設けられている。つまり、ノズル洗浄手段４２０は、シャッター部４３０と一体化されている。  
これによれば、新たな部品や構成を用いることなくより簡単な構成で、ノズル洗浄手段４２０が本体４００の外部において洗浄ノズル４７３を洗浄するときの洗浄水４２６の飛び散りや洗浄ノズル４７３の汚れの飛び散りなどを抑えることができる。また、より簡単な構成で、衛生洗浄装置１００の高さをより低く抑えることができる。
【００８６】
以上説明したように、本発明の実施の形態によれば、衛生洗浄装置１００は、飛び散り抑制手段を備える。飛び散り抑制手段は、ノズル洗浄手段４２０の吐水孔４２５から吐水された洗浄水４２６と、洗浄ノズル４７３の外観面と、のなす角度θ１が鋭角とされてなる。あるいは、本実施形態の飛び散り抑制手段は、ノズル洗浄手段４２０の吐水孔４２５から吐水された洗浄水４２６が洗浄ノズル４７３の中心軸Ｃ１に対して鋭角に当たることで構成されてなる。あるいは、飛び散り抑制手段は、例えばケースカバー４０２の開口部を開閉可能なシャッター部４３０である。あるいは、飛び散り抑制手段は、複数の吐水孔４２５が洗浄ノズル４７３の中心軸Ｃ１からみて左右両側へ斜め後方に隔離して配列されてなる。
【００８７】
これによれば、ノズル洗浄手段４２０が本体４００の外部において洗浄ノズル４７３を洗浄するときの洗浄水４２６の飛び散りや洗浄ノズル４７３の汚れの飛び散りなどを抑えることができる。また、洗浄ノズル４７３の外観面に当たった洗浄水４２６が使用者の方向へ飛び散ったり、便器８００の外側まで飛び散ったりすることを抑えることができる。
【００８８】
また、洗浄ノズル４７３が本体４００の内部に収納されているときには、ノズル洗浄手段４２０は、洗浄ノズル４７３の先端面の頂上４７３ａよりも下側に配置されている。そのため、洗浄ノズル４７３が本体４００の内部に収納されているときのノズル洗浄手段４２０の高さをより低く抑えることができる。そのため、衛生洗浄装置１００の高さをより低く抑えることができる。
【００８９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ノズルユニット４７０やノズル洗浄手段４２０や飛び散り抑制手段などが備える各要素の形状、寸法、材質、配置などやシャッター部４３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９０】
１００ 衛生洗浄装置、  ２００ 便座、  ３００ 便蓋、  ４００ 本体、  ４０１ ケースプレート、  ４０２ ケースカバー、  ４０４ 着座検知センサ、  ４２０ ノズル洗浄手段、  ４２１ リブ、  ４２５ 吐水孔、  ４２６ 洗浄水、  ４２８ 給水チューブ、  ４３０ シャッター部、  ４６１ 筒体、  ４６３ 回動軸、  ４７０ ノズルユニット、  ４７１ ノズルヘッド、  ４７２ シリンダ、  ４７３ 洗浄ノズル、  ４７３ａ 頂上、  ４７３ｂ 先端面、  ４７４ 人体洗浄吐水口、  ４７５ 基台、  ４７６ ノズルモータ、  ８００ 便器、  ８０１ ボウル
【図１】
0005429254.tif 000002
【図２】
0005429254.tif 000003
【図３】
0005429254.tif 000004
【図４】
0005429254.tif 000005
【図５】
0005429254.tif 000006
【図６】
0005429254.tif 000007
【図７】
0005429254.tif 000008
【図８】
0005429254.tif 000009
【図９】
0005429254.tif 000010
【図１０】
0005429254.tif 000011
【図１１】
0005429254.tif 000012
【図１２】
0005429254.tif 000013
【図１３】
0005429254.tif 000014
【図１４】
0005429254.tif 000015
【図１５】
0005429254.tif 000016
【図１６】
0005429254.tif 000017
【図１７】
0005429254.tif 000018
【図１８】
0005429254.tif 000019
【図１９】
0005429254.tif 000020
【図２０】
0005429254.tif 000021
【図２１】
0005429254.tif 000022
【図２２】
0005429254.tif 000023